(57)【特許請求の範囲】
【請求項１】
本体に設けた給水用または給湯用の一の入水口と、前記本体に設けた複数の分岐出水口と、本体内部で前記入水口と前記分岐出水口とを接続する分岐路と、各分岐路ごとに前記分岐出水口それぞれを独立して選択的に開閉可能に前記本体の前面に設けられた止水弁と、前記本体の前面に設けた電力を供給する電源コンセントの差し込み口とからなり、さらに、分岐出水口、分岐路並びに該分岐路の止水弁が設けられ、前記本体に追加接続可能な分岐用ユニットとを備え、この分岐用ユニットは前記本体と互いに分岐路を連通させた状態でその分岐出水口の指向方向を３６０度回転可能に水密に嵌着可能な接続部を有すると共に、非接続側の分岐路をキャップにより閉塞可能としたことを特徴とする分岐水栓。
【発明の詳細な説明】
【技術分野】
【０００１】
本発明は、給水または給湯用の分岐水栓に係り、一の構成で複数の分岐が可能な構造に関するものである。
【背景技術】
【０００２】
例えば、給水配管を分岐して、複数の配管に分岐する構成としては、図６のものが知られている。この構成ではシンクに湯水混合栓５０と浄水器用水栓５１を並設したもので、湯水混合栓５０に対しては給湯配管５２と給水配管５３が接続される一方、浄水器用水栓５１に対しては給水配管５３から浄水器本体５４に分岐を行うものであるが、給水配管５３の途中に止水栓５５を設け、さらにその下流側に浄水器用止水栓５６を設けている。
【０００３】
上述した構成は、一般的には台所シンク下や洗面シンク下のキャビネット内空間を利用して設けられるが、配管部材が複雑であり、設置スペースに大きく空間がとられるため、キャビネット本来の目的である収納空間が犠牲になるという問題があった。
【０００４】
なお、本発明に関する先行技術文献としては特許文献１に示したものが給水管分岐用の回転式ヘッダが存在する。
【０００５】
【特許文献１】特開平１１−１４８５８８号公報
【発明の開示】
【発明が解決しようとする課題】
【０００６】
上記公知技術では、複数の分岐管を備えた構成ではあるが、給水本管に直接接続するヘッダ構造に係るものであり、台所などのシンク下に設置するものではない。また、これは管接続部を回転可能とすることを主目的とする構造が開示されたものであり、限られた設置スペースを有効に利用するという技術に関するものでもない。
【０００７】
本発明は、台所や洗面のシンク下キャビネットにおいて配管の分岐を構成する際に、大きいスペースをとらないで分岐を行うことができる分岐水栓の構造を開示することを目的とするものである。
【課題を解決するための手段】
【０００８】
上述した目的を達成するために本発明では、本体に設けた給水用または給湯用の一の入水口と、前記本体に設けた複数の分岐出水口と、本体内部で前記入水口と前記分岐出水口とを接続する分岐路と、各分岐路ごとに前記分岐出水口それぞれを独立して選択的に開閉可能に前記本体の前面に設けられた止水弁とから分岐水栓を構成するという手段を用いた。
【０００９】
さらに、分岐出水口、分岐路並びに該分岐路の止水弁を設けた別体の分岐用ユニットを追加接続可能とする手段を用いる。
【００１０】
また、分岐路の連通を維持しつつ、分岐出水口を対応する止水栓と共にその指向方向を３６０度回転可能に構成する。
【００１１】
さらに本体に電源コンセントの差し込み口を設けると共に、該差し込み口に電力を供給する電源コンセントを設けるという手段を用いる。
【発明の効果】
【００１２】
本発明は上述したような手段を用いたため、鞘管ヘッダー工法に使用される分岐ヘッダーと同様に一入路多出路の分岐構造をユニット化できるから、シンク下のキャビネット空間にデッドスペースが発生することを回避することができる。また、当初より２つの入水口を本体にワンユニット化したり、一ユニット当たりの入水口は一つであるが、この分岐水栓をケーシングによりワンユニット化したものにあっては、給水と給湯を同時に行うことができる分岐水栓として利用することができる。また、分岐用ユニットを追加接続できるようにしたので、当該分岐水栓に接続できる機器の数を事後的に変更でき、より多彩な分岐配管が可能となる。さらにまた、分岐出水口の角度を３６０度調整できるようにしたので、分岐配管の取り回しに応じて分岐出水口の向きを変更でき、接続にかかる作業性が高まり、接続後の配管にも無理な力が発生しない。また、本体に電源コンセントの差し込み口を設けたので、浄水器等への電力供給も本発明分岐水栓により行うことができて、実用的効果が高い。
【発明を実施するための最良の形態】
【００１３】
以下、本発明の好ましい実施の形態を添付した図面に従って説明する。図１は本発明の本体側に係る分岐水栓の第一例を示したもので、この例では、給水と給湯を独立して複数分岐する構成を例示している。即ち、同図中、１は本体、２は本体１の下面に設けた給水用入水口、３は該給水用入水口２と並設して本体１の下面に設けた給湯用入水口であり、さらに４・５は本体１の上面に設けられた給水用の分岐出水口であり、例えば湯水混合栓の給水側接続部や浄水器にそれぞれ接続して使用され、さらにまた６・７は上記給水用分岐出水口と並設して本体１の上面に設けられた給湯用の分岐出水口であり、例えば湯水混合栓の給湯側接続部や食器洗い器にそれぞれ接続して使用するものである。
【００１４】
つまり、この第一例では給水・給湯の各入水口２・３に対して、二つ（本発明では三以上であってもよい）の分岐出水口４・５並びに６・７を設けている。そして本体１の内部には、図１のＡ−Ａ線断面、Ｂ−Ｂ線断面を示した図２・３にあるように、給水側入水口２と各分岐出水口４・５とを連通する分岐路８が構成され、さらに各分岐出水口４・５に対応して、その分岐路８には止水弁９・１０が設けてられている。止水栓９・１０は分岐出水口４・５それぞれを独立して選択的に開閉弁するものであり、全てを同時に開弁することも閉弁することもできる。こうした分岐路構造は給湯側においても同じであり、また各分岐出水口６・７にも対応して止水栓１１・１２が設けられている。そして、本例では、本体１の内部において給水側と給湯側の分岐路を区画する仕切り１３が設けられており、本体１の内部で湯水混合が発生しないようにしている。また、分岐口Ａは止水弁９・１２の弁操作に連動し、取り出しを可能としている。このような分岐口Ａを後述する図６の分岐ユニット用４２に設けることも本発明の技術的思想に含まれる。
【００１５】
なお、図中、１４・１５は本体１の前面に設けられた商用電源のコンセント差し込み口であり、本体１には図示しない電源コードを介して前記差し込み口１４・１５に電力を供給しており、例えばイオン整水器などに電力供給を行うことができるように構成されている。
【００１６】
図４は、本発明の本体側に係る分岐水栓の第二例を示したものであり、ここでは別々の本体２０・２１にそれぞれ給水用入水口２２と給湯用入水口２３を設けると共に、本体２０・２１の内部で各入水口２２・２３と分岐路（図示せず）を介して接続される複数（この実施形態では二つ）の給水用出水口２４・２５、給湯用出水口２６・２７を設けている。また、各出水口２４〜２７毎に止水弁２８〜３１を設けている。さらに、本体２０・２１の前面には上記第一例と同様、商用電源のコンセント差し込み口１４・１５を設けることができる。つまり、上記第一例では一の本体１に給水と給湯の入水口ならびに分岐出水口をワンユニットとして構成しているのに対して、この第二例では、給水用分岐水栓と給湯用分岐水栓とをそれぞれ別ユニットとして独立して構成している。
【００１７】
図５は、本発明の実施形態を示したものであり、図４に示した、例えば給水用の分岐水栓に、分岐出水口４０と止水弁４１を設けた分岐用ユニット４２を追加接続できるように構成したものである。なお、この分岐用ユニット４２と接続先である分岐水栓とは、互いに分岐路を連通させ得るものであることはもちろんのこと、この実施形態では分岐用ユニット４２の非接続側の分岐路をキャップ４３により閉塞できるようにしている。さらに、分岐用ユニット４２の接続部４４は接続先である分岐水栓に対して、抜け止めリング等４５を介して水密、且つ、接続部４４の口軸を回転軸として３６０度回転可能に嵌着できるように構成している。従って、分岐用ユニット４２はその分岐出水口４０の指向方向を３６０度の範囲で変更することができ、給水先配管の取り回りに応じて向きを随時変更することにより配管接続の作業性を向上することができる。
【００１８】
なお、本発明においては、例えば分岐出水口をｎ個設けた場合、本体に設けた分岐出水口を除くｎ−１個の分岐出水口について、上述した分岐用ユニットを構成することによって、各分岐出水口を回転可能とすることができる。
【図面の簡単な説明】
【００１９】
【図１】本発明の本体側に係る分岐水栓の第一例を示した正面図
【図２】図１のＡ−Ａ線断面図
【図３】図１のＢ−Ｂ線断面図
【図４】本発明の本体側に係る分岐水栓の第二例を示した正面図
【図５】本発明の実施形態に係る分岐水栓の正面図
【図６】従来のシンク下の分岐配管構造を示した説明図
【符号の説明】
【００２０】
１  本体
２  給水用入水口
３  給湯用入水口
４・５  給水用出水口
６・７  給湯用出水口
８  分岐路
９〜１２  止水弁
１３  仕切り
１４・１５  電源コンセントの差し込み口
４２  分岐用ユニット
【図１】
0004180022.tif 000002
【図２】
0004180022.tif 000003
【図３】
0004180022.tif 000004
【図４】
0004180022.tif 000005
【図５】
0004180022.tif 000006
【図６】
0004180022.tif 000007